(57)【要約】【課題】複数の表示装置を備えた表示システムにおいて、リモートコントローラーによるいずれかの表示装置に対する遠隔操作を、それ以外の表示装置にも反映させるための技術を提供する。【解決手段】プロジェクターシステム１におけるプロジェクター１０Ａ〜１０Ｄの各々は、リモートコントローラー２０による遠隔操作を受け付ける操作受付手段と、前記操作受付手段により受け付けられた遠隔操作を表す操作情報を、自装置と通信可能な他のプロジェクターへ送信する送信手段と、前記他のプロジェクターにより送信された前記操作情報を受信する受信手段と、前記受け付けられた遠隔操作、又は前記受信手段により受信された前記操作情報により指示された処理を実行する処理手段とを有する。【選択図】図１
2017050754.tif 000002
【特許請求の範囲】
【請求項１】
複数の表示装置を備え、
前記複数の表示装置の各々は、
リモートコントローラーによる遠隔操作を受け付ける操作受付手段と、
前記操作受付手段により受け付けられた遠隔操作を表す第１の操作情報を、自表示装置と通信可能な他の表示装置へ送信する送信手段と、
前記他の表示装置が受け付けた前記リモートコントローラーによる遠隔操作を表す第２の操作情報であって、前記他の表示装置から送信された前記第２の操作情報を受信する受信手段と、
前記操作受付手段により受け付けられた遠隔操作、又は前記第２の操作情報により指示された処理を実行する処理手段と
を有する表示システム。
【請求項２】
前記操作受付手段は、
前記第２の操作情報を受信した場合、前記遠隔操作の受け付けを停止する
ことを特徴とする請求項１に記載の表示システム。
【請求項３】
前記操作受付手段は、
前記第２の操作情報により指示された前記処理の実行が完了するまでの間、前記遠隔操作の受け付けを停止する
ことを特徴とする請求項２に記載の表示システム。
【請求項４】
前記複数の表示装置の各々は、
少なくともいずれかの表示装置に設定された優先度に従って、自表示装置を、前記第１の操作情報を送信する表示装置に決定する決定手段
を有することを特徴とする請求項１から請求項３のいずれか１項に記載の表示システム。
【請求項５】
前記処理手段は、
自表示装置よりも前記他の表示装置の前記優先度が高い場合において、前記遠隔操作が受け付けられたときは、第１の時間の間、前記第１の操作情報を、前記他の表示装置へ送信しない
ことを特徴とする請求項４に記載の表示システム。
【請求項６】
前記処理手段は、
自表示装置が前記操作情報を送信する表示装置に決定された場合において、前記遠隔操作が受け付けられたときは、当該遠隔操作により指示された処理を実行する
ことを特徴とする請求項５に記載の表示システム。
【請求項７】
前記複数の表示装置の各々は、
自表示装置のモードを、前記処理手段が前記操作情報により指示された処理を実行する第１のモードと、前記処理手段が自表示装置の識別情報を指定した前記遠隔操作により指示された処理を実行し、前記自表示装置の前記識別情報が指定されない前記遠隔操作により指示された処理を実行しない第２のモードとのいずれかに設定するモード設定手段
を有することを特徴とする請求項１から請求項６のいずれか１項に記載の表示システム。
【請求項８】
複数の表示装置の各々が、
リモートコントローラーによる遠隔操作を受け付けるステップと、
受け付けた遠隔操作を表す操作情報を、自表示装置と通信可能な他の表示装置へ送信するステップと、
前記他の表示装置が受け付けた前記リモートコントローラーによる遠隔操作を表す第２の操作情報であって、前記他の表示装置から送信された前記第２の操作情報を受信するステップと、
前記受け付けた遠隔操作、又は受信した前記第２の操作情報により指示された処理を実行するステップと
を有する表示装置の制御方法。
【発明の詳細な説明】
【技術分野】
【０００１】
本発明は、リモートコントローラーによる遠隔操作に基づいて表示装置を制御する技術に関する。
【背景技術】
【０００２】
ユーザーは、同一の空間に複数の機器を複数配置し、一つのリモートコントローラーを用いて、これらの複数の機器を操作する場合がある。この場合に、ユーザーが操作しようとしていない機器にも、リモートコントローラーからの信号が受信されてしまい、ユーザーの意図しない処理が実行されてしまうことがある。この問題を解決する技術として、特許文献１には、マルチプロジェクションシステムに用いられる各プロジェクターに識別番号を割り当てておき、リモートコントローラーが識別番号に応じたコマンドを送信することで、当該識別番号が割り当てられたプロジェクターのみを操作対象とすることが記載されている。
【先行技術文献】
【特許文献】
【０００３】
【特許文献１】特開２００８−６１１６０号公報
【発明の概要】
【発明が解決しようとする課題】
【０００４】
例えば、複数のプロジェクターの各々が、自装置に割り当てられた部分画像をスクリーン上の所定位置に投写して、当該スクリーン上において画面表示する、タイリング投写が行われる場合がある。この場合において、各部分画像の明るさを同じ量だけ変化させる等、ユーザーは、複数のプロジェクターに対して共通の操作をしたいときがある。しかし、特許文献１に記載の技術では、ユーザーは、複数のプロジェクターの１つ１つにリモートコントローラーを向けて、各プロジェクターの識別番号に応じたコマンドを送信させる操作をしなければならない。また、プロジェクター間の距離が大きい場合、リモートコントローラーが一度に送信した信号を、２台以上のプロジェクターに受信させることは困難である。
本発明は、上述した事情に鑑みてなされたもので、その目的の一つは、複数の表示装置を備えた表示システムにおいて、リモートコントローラーによるいずれかの表示装置に対する遠隔操作を、それ以外の表示装置にも反映させるための技術を提供することである。
【課題を解決するための手段】
【０００５】
上記目的を達成するために、本発明に係る表示システムは、複数の表示装置を備え、
前記複数の表示装置の各々は、リモートコントローラーによる遠隔操作を受け付ける操作受付手段と、前記操作受付手段により受け付けられた遠隔操作を表す第１の操作情報を、自表示装置と通信可能な他の表示装置へ送信する送信手段と、前記他の表示装置が受け付けた前記リモートコントローラーによる遠隔操作を表す第２の操作情報であって、前記他の表示装置から送信された前記第２の操作情報を受信する受信手段と、前記操作受付手段により受け付けられた遠隔操作、又は前記第２の操作情報により指示された処理を実行する処理手段とを有する。
この発明では、複数の表示装置の各々は、リモートコントローラーによる遠隔操作を受け付けると、当該遠隔操作を表す操作情報を他の表示装置へ送信し、また、他の表示装置から送信された操作情報を受信する。そして、各表示装置は、受け付けた遠隔操作、又は受信した操作情報により指示された処理を実行する。このため、少なくとも一部の表示装置によって遠隔操作が受け付けられることにより、当該遠隔操作が表示システム内のそれ以外の表示装置にも反映される。
【０００６】
本発明において、前記操作受付手段は、前記第２の操作情報を受信した場合、前記遠隔操作の受け付けを停止してもよい。
この発明によれば、自表示装置が受け付けた遠隔操作により指示された処理と、他の表示装置から受信した操作情報により指示された処理との重複実行を回避することができる。
【０００７】
この発明において、前記操作受付手段は、前記第２の操作情報により指示された前記処理の実行が完了するまでの間、前記遠隔操作の受け付けを停止してもよい。
この発明によれば、実行中の処理と、他の表示装置から受信した操作情報により指示される処理との重複実行を回避することができる。
【０００８】
本発明において、前記複数の表示装置の各々は、少なくともいずれかの表示装置に設定された優先度に従って、自表示装置を、前記第１の操作情報を送信する表示装置に決定する決定手段
を有してもよい。
この発明によれば、設定された優先度に従って操作情報を送信する表示装置を決定するので、当該表示装置がリモートコントローラーによって遠隔操作されることにより、当該遠隔操作が他の表示装置にも反映される。
【０００９】
この発明において、前記処理手段は、自表示装置よりも前記他の表示装置の前記優先度が高い場合において、前記遠隔操作が受け付けられたときは、第１の時間の間、前記第１の操作情報を、前記他の表示装置へ送信しなくてもよい。
この発明によれば、自表示装置が操作情報を送信する表示装置でない場合において、他の表示装置が、遠隔操作により指示された処理と、操作情報により指示された処理との重複実行を回避することができる。
【００１０】
本発明の表示システムにおいて、前記処理手段は、自表示装置が前記操作情報を送信する表示装置に決定された場合において、前記遠隔操作が受け付けられたときは、当該遠隔操作により指示された処理を実行してもよい。
この発明では、操作情報を送信する表示装置においては、他の表示装置からの操作情報を待ち受けなくとも、遠隔操作により指示された処理を実行することができる。
【００１１】
本発明において、前記複数の表示装置の各々は、自表示装置のモードを、前記処理手段が前記操作情報により指示された処理を実行する第１のモードと、前記処理手段が自表示装置の識別情報を指定した前記遠隔操作により指示された処理を実行し、前記自表示装置の前記識別情報が指定されない前記遠隔操作により指示された処理を実行しない第２のモードとのいずれかに設定するモード設定手段を有してもよい。
この発明によれば、操作情報により指示された処理が実行されるモードと、自表示装置の識別情報を指定した遠隔操作により指示された処理が実行されるモードとに従って動作することができる。
【００１２】
なお、本発明は、表示システムのほか、表示装置の制御方法としても観念することが可能である。
【図面の簡単な説明】
【００１３】
【図１】本発明の第１実施形態に係る表示システムの全体構成を示すブロック図。
【図２】同実施形態に係るプロジェクターのハードウェア構成を示す図。
【図３】同実施形態に係るプロジェクターの機能構成を示す図。
【図４】同実施形態に係るプロジェクターが行う操作制御を示すフローチャート。
【図５】同実施形態に係る表示システムにおいて実行される操作制御の一例を示すシーケンスチャート。
【図６】同実施形態に係るプロジェクターの操作制御の一例を示す図。
【図７】本発明の第２実施形態に係るプロジェクターが行う操作制御を示すフローチャート。
【発明を実施するための形態】
【００１４】
以下、本発明の実施の形態について図面を参照しつつ説明する。
［第１実施形態］
図１は、本発明の第１実施形態に係るプロジェクターシステム１の全体構成を示す図である。図１に示すように、プロジェクターシステム１は、複数のプロジェクター１０（１０Ａ〜１０Ｄ）と、リモートコントローラー２０と、画像信号供給装置４０とを備えた表示システムである。
【００１５】
プロジェクター１０は、ここでは壁掛け式の短焦点型のプロジェクターで、近距離に設置されたスクリーン３０に画像を投写する投写型の表示装置である。プロジェクター１０は、画像信号供給装置４０から入力された、例えばＲ（Red）、Ｇ（Green）、Ｂ（Blue）の三原色の各色成分に対応した画像信号に基づいて、カラーの画像を投写する。スクリーン３０は、ここでは反射型のスクリーンであり、プロジェクター１０により画像が投写される投写面に相当する。なお、投写面は、スクリーン３０以外の物、例えば壁で代用されてもよい。
また、プロジェクター１０は、画像信号供給装置４０と接続され、通信が行えるようになっている。更に、複数のプロジェクター１０のいずれかは、他のプロジェクター１０と接続され通信が行えるようになっている。例えば、プロジェクター１０は、ネットワークＮＷに接続され、他のプロジェクター１０や、画像信号供給装置４０と通信が行えるようになっていてもよい。このとき、プロジェクター１０は、ネットワークＮＷに無線接続し、ＩＥＥＥ８０２．１１（Ｗｉ−Ｆｉ：登録商標）の規格に準拠した無線通信を行ってもよい。
【００１６】
プロジェクターシステム１では、プロジェクター１０Ａ〜１０Ｄの各々が、スクリーン３０上に部分画像を並べて投写することにより、スクリーン３０において画面表示する、タイリング投写が行われる。本実施形態では、スクリーン３０の表面が、縦横に２×２の投写領域３０−１，３０−２，３０−３，３０−４に分割されている。そして、プロジェクター１０Ａは投写領域３０−１に、プロジェクター１０Ｂは投写領域３０−２に、プロジェクター１０Ｃは投写領域３０−３に、プロジェクター１０Ｄは投写領域３０−４に、それぞれ部分画像を投写する。
【００１７】
画像信号供給装置４０は、例えばパーソナルコンピューターであり、スクリーン３０に画面を表示するための画像信号を、プロジェクター１０Ａ〜１０Ｄの各々に供給する。
タイリング投写は、画像信号供給装置４０からプロジェクター１０に部分画像を表す画像信号が供給される方法で行われてもよいし、画像信号供給装置４０からプロジェクター１０に全体画像を表す画像信号が供給され、プロジェクター１０において部分画像を表す画像信号に加工する方法で行われてもよい。
【００１８】
また、プロジェクター１０Ａ〜１０Ｄの各々は、リモートコントローラー２０による遠隔操作を受け付ける。遠隔操作は、リモートコントローラー２０の図示せぬ発光部をいずれかのプロジェクター１０に向けて、当該発光部から遠隔操作信号を送信することにより行われる。リモートコントローラー２０は、ここでは赤外線通信により遠隔操作信号を送信するが、赤外線通信以外の方式の無線通信を用いてもよい。ただし、リモートコントローラー２０は、ネットワークＮＷを介さずに遠隔操作信号を送信する。また、リモートコントローラー２０は、プロジェクター１０Ａ〜１０Ｄの全てを遠隔操作することができる。
なお、本実施形態では、プロジェクターシステム１が４台のプロジェクター１０を含むが、３台以下又は５台以上であってもよい。
【００１９】
図２は、プロジェクター１０のハードウェア構成を示すブロック図である。図２に示すように、プロジェクター１０は、ＣＰＵ（Central Processing Unit）１１と、ＲＯＭ（Read Only Memory）１２と、ＲＡＭ（Random Access Memory）１３と、本体操作部１４と、信号受信部１５と、画像処理部１６と、投写部１７と、カメラ部１８と、通信部１９とを備える。
ＣＰＵ１１は、ＲＯＭ１２に記憶されたプログラムを、ＲＡＭ１３に読み出して実行することにより、プロジェクター１０の各部を制御するプロセッサーである。本体操作部１４は、プロジェクター１０の電源のオン／オフ等の、ユーザーが各種操作を行うためにプロジェクター１０本体に設けられた操作手段である。信号受信部１５は、例えば赤外光受光素子を備え、リモートコントローラー２０から遠隔操作信号を受信する。
【００２０】
画像処理部１６は、例えばＡＳＩＣ（Application Specific Integrated Circuit）等の画像処理回路を備え、プロジェクター１０が行う画像処理を司る。画像処理部１６は、ＣＰＵ１１の制御に従って、例えば、画像信号供給装置４０から入力された画像信号に対して、リサイズ処理や台形補正等の補正処理を行い、投写用の画像情報を生成する。補正処理は、カメラ部１８がスクリーン３０を撮像した画像に基づいて行われる。
【００２１】
投写部１７は、画像処理部１６による画像処理後の画像情報に基づいて、スクリーン３０に画像を投写（表示）する。投写部１７は、光源１７１と、液晶パネル１７２と、光学系１７３と、光源制御部１７４と、パネル駆動部１７５と、光学系駆動部１７６とを有する。光源１７１は、例えばＬＥＤ（Light Emitting Diode）や半導体ダイオードを含む固体光源で、液晶パネル１７２に光を射出する。液晶パネル１７２は、例えば透過型の液晶パネルで、光源１７１から入射した光を変調する光変調器である。液晶パネル１７２は、Ｒ、Ｇ、Ｂの三原色の各色に対応して設けられる。光学系１７３は、例えばレンズやレンズ調整用の駆動回路を備え、液晶パネル１７２により変調された光（画像光）を拡大して、スクリーン３０上に投写する。光源制御部１７４は、ＣＰＵ１１の制御に従って光源１７１を駆動する。パネル駆動部１７５は、ＣＰＵ１１から供給された画像情報に基づいて液晶パネル１７２を駆動する。光学系駆動部１７６は、ＣＰＵ１１の制御に従って光学系１７３の駆動回路を駆動する。
なお、光変調器として、反射型の液晶パネルを採用してもよいし、デジタルマイクロミラーデバイス（ＤＭＤ）等を採用してもよい。
【００２２】
カメラ部１８は、イメージセンサー（例えばＣＭＯＳセンサー又はＣＣＤセンサー）を有し、スクリーン３０を撮像する。通信部１９は、例えば無線通信回路及びアンテナを有し、ネットワークＮＷに接続して無線通信を行う。
【００２３】
図３は、プロジェクター１０の機能構成を示すブロック図である。図３に示すように、プロジェクター１０は、操作受付手段１０１と、送信手段１０２と、受信手段１０３と、処理手段１０４とに相当する機能を実現する。
操作受付手段１０１は、リモートコントローラー２０から遠隔操作信号を受信することにより、リモートコントローラー２０による遠隔操作を受け付ける手段である。
送信手段１０２は、操作受付手段１０１により受け付けられた遠隔操作を表す操作情報（第１の操作情報）を、自装置と通信可能な他のプロジェクター１０へ送信する手段である。送信手段１０２は、例えばネットワークＮＷ経由で、自装置と通信可能な他のプロジェクター１０へ操作情報を送信してもよい。また、自装置と通信可能な他のプロジェクター１０が有線、又は無線で直接接続されている場合には、その経路で操作情報を送信してもよい。操作情報は、少なくとも遠隔操作の内容を特定する情報を含む。
受信手段１０３は、他のプロジェクター１０が受け付けたリモートコントローラーによる遠隔操作を表す操作情報（第２の操作情報）であって、他のプロジェクター１０から送信された操作情報を受信する手段である。この操作情報は、当該他のプロジェクター１０により受け付けられた遠隔操作を表す。
処理手段１０４は、操作受付手段１０１により受け付けられた遠隔操作、又は受信手段１０３により受信された操作情報により指示された処理を実行する手段である。
【００２４】
図４は、プロジェクター１０が行う操作制御を示すフローチャートである。本実施形態の操作制御は、リモートコントローラー２０による遠隔操作に応じて実行される制御である。
なお、タイリング投写に用いられるプロジェクター１０Ａ〜１０Ｄの設定は、事前になされているものとする。
【００２５】
プロジェクター１０のＣＰＵ１１は、信号受信部１５を介して、リモートコントローラー２０による遠隔操作を受け付けたかどうかを判定する（ステップＳ１）。ステップＳ１で「ＹＥＳ」と判定した場合、ＣＰＵ１１は、受け付けた遠隔操作に基づいて、他のプロジェクター１０に操作情報を送信するかどうかを判定する（ステップＳ２）。換言すると、ＣＰＵ１１は、リモートコントローラー２０による遠隔操作を、他のプロジェクター１０にも反映させるかどうかを判定する。ステップＳ２では、プロジェクターシステム１内のいずれか１台のプロジェクター１０が、「ＹＥＳ」と判定する。このステップＳ２の判定方法については、図５を用いて後述する。
【００２６】
ステップＳ２で「ＹＥＳ」と判定した場合、ＣＰＵ１１は、受け付けた遠隔操作を表す操作情報を、通信部１９を介して、他のプロジェクター１０へ送信する（ステップＳ３）。ここでは、ＣＰＵ１１は、タイリング投写を行う全てのプロジェクター１０へ操作情報を送信する。又は、ＣＰＵ１１は、自装置に接続され、通信可能なプロジェクターシステム１内の全てのプロジェクター１０へ操作情報を送信する。そして、ＣＰＵ１１は、受け付けた遠隔操作により指示された処理を実行する（ステップＳ４）。なお、複数のプロジェクター１０がそれぞれ個別の識別情報を有しており、受け付けた遠隔操作に、いずれのプロジェクター１０に対する操作であるかを指定するために識別情報が含まれていた場合には、ＣＰＵ１１は、遠隔操作に自装置の識別情報が指定されているかを判定し、自装置の識別信号が指定されている場合には、遠隔操作により指示された処理を実行し、自装置の識別信号が指定されていない場合には、遠隔操作により指示された処理を実行しないようにしてもよい。ステップＳ４での処理の実行が完了すると、ＣＰＵ１１は、プロジェクターシステム１を用いた作業を継続するかどうかを判定する（ステップＳ５）。ここでの作業は、映画の上映等、任意に決められてよい。ＣＰＵ１１は、例えば、本体操作部１４の操作、又はリモートコントローラー２０による遠隔操作によって、作業の終了が指示されるまでは、ステップＳ５で「ＮＯ」と判定し、ステップＳ１に戻る。
【００２７】
ステップＳ２で「ＮＯ」と判定した場合、ＣＰＵ１１は、遠隔操作の受け付けを一時的に停止させる（ステップＳ６）。遠隔操作の受け付けの停止は、信号受信部１５による遠隔操作信号の受信動作の停止、又は遠隔操作により指示された処理をＣＰＵ１１が実行しないことにより実現される。また、ＣＰＵ１１は、ステップＳ１で受け付けたと判定した遠隔操作により指示された処理の実行が完了するまでの期間、又は、プロジェクターシステム１を用いた作業が完了するまでの期間（即ち、ステップＳ５で「ＹＥＳ」と判定されるまでの期間）において、遠隔操作の受け付けを停止させる。
【００２８】
次に、ＣＰＵ１１は、通信部１９を介して、他のプロジェクター１０から操作情報を受信する（ステップＳ７）。この操作情報は、当該他のプロジェクター１０によって、ステップＳ３の処理で送信された操作情報である。そして、ＣＰＵ１１は、受信した操作情報により指示された処理を実行し（ステップＳ８）、ステップＳ５の処理に進む。
なお、複数のプロジェクター１０がそれぞれ個別の識別情報を有しており、受信した操作情報に、いずれのプロジェクター１０に対する操作であるかを指定するために識別情報が含まれていた場合には、ＣＰＵ１１は、操作情報に自装置の識別情報が指定されているかを判定する。そして、ＣＰＵ１１は、自装置の識別信号が指定されている場合には、操作情報により指示された処理を実行し、自装置の識別信号が指定されていない場合には、操作情報により指示された処理を実行しないようにしてもよい。
【００２９】
ところで、ステップＳ１で「ＮＯ」、即ちリモートコントローラー２０から遠隔操作を受け付けていないと判定した場合は、ＣＰＵ１１は、他のプロジェクター１０から操作情報を受信したかどうかを判定する（ステップＳ９）。ＣＰＵ１１は、通信部１９を介して、他のプロジェクター１０から操作情報を受信した場合は、ステップＳ９で「ＹＥＳ」と判定し、ステップＳ８において操作情報により指示された処理を実行する。例えば、自装置で遠隔操作信号を受信せず、他のプロジェクター１０で遠隔操作信号が受信された場合に、ＣＰＵ１１は、ステップＳ９で「ＹＥＳ」と判定することがある。
その後、ステップＳ５で「ＹＥＳ」と判定すると、ＣＰＵ１１は、プロジェクターシステム１を用いた作業を終了する。ＣＰＵ１１は、例えば、作業の終了後は、プロジェクター１０をスタンバイモードに切り替える。
【００３０】
図５は、プロジェクターシステム１において実行される操作制御の一例を示すシーケンスチャートである。図６は、プロジェクター１０の操作制御の一例を示す図である。
プロジェクター１０Ａ、１０Ｂ，１０Ｃの各々が、リモートコントローラー２０により送信された同一の遠隔操作信号を受信したとする（ステップＳ１０１）。ここでは、図６（Ａ）に示すように、プロジェクター１０Ａ，１０Ｂ，１０Ｃが互いに近い位置に配置され、プロジェクター１０Ａ，１０Ｂ，１０の各々が同一の遠隔操作信号ＲＳを受信したとする。
なお、プロジェクター１０Ｄは、この遠隔操作信号ＲＳを受信していないものとする。
【００３１】
次に、プロジェクター１０Ａ、１０Ｂ，１０Ｃ，１０Ｄは、ネットワークＮＷを介して相互に通信することにより、遠隔操作信号ＲＳを受信した場合は、その旨を他の全てのプロジェクター１０へ通知する（ステップＳ１０２）。ここでは、プロジェクター１０Ａ、１０Ｂ，１０Ｃの各々が、自装置のＩＰアドレス、及び遠隔操作を受け付けた旨を通知する。
【００３２】
次に、プロジェクター１０Ａ、１０Ｂ，１０Ｃ，１０Ｄは、操作情報を送信するプロジェクター１０を１台だけ決定する（ステップＳ１０３）。例えば、プロジェクター１０Ａ〜１０Ｄには優先度（例えば、事前に設定していた優先度や、プロジェクター１０Ａ〜１０Ｄのそれぞれに付された名称順、又は割り当てられたＩＰアドレスの数値順で設定された優先度等）が設定されており、ステップＳ１０２で遠隔操作信号ＲＳを受信した旨の通知を行ったプロジェクター（この例では、プロジェクター１０Ａ，１０Ｂ，１０Ｃ）のうち、この優先度の高いものを、操作情報を送信するプロジェクターとして決定してもよい。ここでは、プロジェクター１０Ａが操作情報を送信するように決定されたとする。この場合、プロジェクター１０Ｂ，１０Ｃ，１０Ｄの各々は、遠隔操作の受け付けを一時的に停止させる（ステップＳ１０４，Ｓ１０５，Ｓ１０６）。
【００３３】
操作情報を送信すると決定されたプロジェクター１０Ａは、遠隔操作を表す操作情報を、ネットワークＮＷ経由で、プロジェクター１０Ｂ，１０Ｃ，１０Ｄの各々へ送信する（ステップＳ１０７，Ｓ１０８，Ｓ１０９）。ここでは、図６（Ｂ）に示すように、プロジェクター１０Ａは、遠隔操作信号ＲＳを表す操作情報ＭＩを、プロジェクター１０Ｂ，１０Ｃ，１０Ｄの各々へ送信する。
【００３４】
そして、プロジェクター１０Ａは、遠隔操作信号により指示された処理を実行する（ステップＳ１１０）。他方、プロジェクター１０Ｂ，１０Ｃ，１０Ｄの各々は、プロジェクター１０Ａから受信した操作情報により指示された処理を実行する（ステップＳ１１１，Ｓ１１２，Ｓ１１３）。図６（Ｂ）に示すように、ここでは、プロジェクター１０Ａは遠隔操作信号ＲＳに基づいて処理Ｐを実行し、プロジェクター１０Ｂ，１０Ｃ，１０Ｄの各々は、プロジェクター１０Ａからの操作情報ＭＩに基づいて処理Ｐを実行する。処理Ｐを実行する契機となる事象が、プロジェクター１０Ａと、プロジェクター１０Ｂ，１０Ｃ，１０Ｄの各々とで異なるが、処理Ｐの内容は互いに共通する。
また、ステップＳ１０４，Ｓ１０５，Ｓ１０６で遠隔操作の受け付けは停止されるので、プロジェクター１０Ｂ，１０Ｃ，１０Ｄの各々において、ステップＳ１０４，Ｓ１０５，Ｓ１０６の後に、リモートコントローラーから受けた遠隔操作信号ＲＳにより指示される処理と、操作情報ＭＩにより指示された処理との重複実行を回避することができる。
【００３５】
以上説明した第１実施形態によれば、プロジェクターシステム１内の各プロジェクター１０は、リモートコントローラー２０による遠隔操作を受け付けた場合に、当該遠隔操作を表す操作情報を他のプロジェクター１０へ送信し、また、他のプロジェクター１０から送信された操作情報を受信する。よって、プロジェクターシステム１では、少なくともいずれかのプロジェクター１０が遠隔操作を受け付けていれば、当該遠隔操作がそれ以外のプロジェクター１０にも反映される。このため、ユーザーは、プロジェクターシステム１内のプロジェクター１０毎に、リモートコントローラー２０を用いて操作しなくてもよい。
また、操作情報は、ネットワークＮＷを介して送受信されるので、各プロジェクター１０がそれ以外のプロジェクター１０から離れた場所（例えば高所）に配置されても構わない。
更に、操作情報を送信すると決定されたプロジェクター１０以外のプロジェクター１０は、操作情報により指示された処理の実行が完了するまでの間、遠隔操作の受け付けを停止させることにより、この処理の実行が完了した後は、再び遠隔操作を受け付けることができる。
【００３６】
［第２実施形態］
次に、本発明の第２実施形態を説明する。プロジェクターシステム１の全体構成、及びプロジェクター１０のハードウェア構成は、上述した第１実施形態と同じであり、その説明を省略する。本実施形態において、上述した第１実施形態と同じ符号を付した要素は、上述した第１実施形態で説明した要素と同じである。
【００３７】
本実施形態のプロジェクター１０は、上述した第１実施形態で説明した操作受付手段１０１と、送信手段１０２と、受信手段１０３と、処理手段１０４とに加え、図３に示す決定手段１０５に相当する機能を実現する。
決定手段１０５は、少なくともいずれかのプロジェクター１０に設定された優先度に従って、送信手段１０２により操作情報を送信するプロジェクター１０を決定する手段である。優先度は、例えば、各プロジェクター１０に「１」、「２」、「３」、・・・という具合に付与されてもよいが、プロジェクター１０に付された名称順、又は割り当てられたＩＰアドレスの数値順が、優先度として使用されてもよい。決定手段１０５は、自装置の優先度が他のプロジェクター１０よりも高い場合、特に優先度が最も高い場合に、自装置を、操作情報を送信するプロジェクター１０に決定する。
【００３８】
図７は、プロジェクター１０が行う操作制御を示すフローチャートである。
ＣＰＵ１１は、信号受信部１５を介して、リモートコントローラー２０による遠隔操作を受け付けたと判定した場合（ステップＳ１；ＹＥＳ）、自装置に設定された優先度に従って、操作情報を送信するプロジェクター１０を決定する（ステップＳ１１）。ＣＰＵ１１は、同じ遠隔操作を受け付けたプロジェクター１０のうち、自装置の優先度が最も高い場合に、自装置で操作情報を送信するように決定し、それ以外の場合は、操作情報を送信しないようにする。
【００３９】
次に、ＣＰＵ１１は、自装置で操作情報を送信すると決定したかどうかを判定する（ステップＳ１２）。ステップＳ１２で「ＹＥＳ」と判定した場合、ＣＰＵ１１は、ステップＳ３〜Ｓ５の処理を実行する。ステップＳ４では、他のプロジェクター１０から操作情報を受信することはないので、ＣＰＵ１１は、その受信を待たずに、遠隔操作により指示された処理を実行してよい。
【００４０】
ステップＳ１２で「ＮＯ」と判定した場合、ＣＰＵ１１は、受信した遠隔操作信号を表す操作情報を他のプロジェクターへ送信することを保留し、他のプロジェクター１０からの操作情報の待ち受けを開始する（ステップＳ１３）。そして、ＣＰＵ１１は、待ち受け期間（第１の時間の間）中に、他のプロジェクター１０から操作情報を受信したかどうかを判定する（ステップＳ１４）。言い換えると、自装置よりも他のプロジェクター１０の優先度が高い場合に遠隔操作を受け付けたときは、待ち受け期間の間、他のプロジェクター１０に操作情報を送信しない。この操作情報は、ステップＳ１で「ＹＥＳ」と判定した遠隔操作と同じ処理の実行を指示するものである。待ち受け期間は、予め決められた期間でよいが、例えば、他のプロジェクター１０で遠隔操作信号が受信されてから、それに応じた操作情報を受信するまでの時間を勘案して決められているとよい。
【００４１】
ステップＳ１４で「ＹＥＳ」と判定した場合、即ち、他のプロジェクター１０から操作情報を受信した場合、ＣＰＵ１１は、ステップＳ８に進んでその操作情報により指示された処理を実行する。これにより、上述した第１実施形態と同様、他のプロジェクター１０に対する遠隔操作が、自装置にも反映される。
ステップＳ１４で「ＮＯ」と判定した場合、即ち、他のプロジェクター１０から操作情報を受信しなかった場合、ＣＰＵ１１は、ステップＳ３に進んで、操作情報を他のプロジェクターへ送信する。その後、ＣＰＵ１１は、ステップ４に進んで、受け付けた遠隔操作により指示された処理を実行する。
なお、本実施形態で説明しなかった処理ステップは、上述した第１実施形態と同じでよい。
【００４２】
以上説明した第２実施形態によれば、上述した第１実施形態で説明した作用効果に加え、設定された優先度に従って操作情報を送信するプロジェクター１０が決定される。このため、ユーザーは、リモートコントローラー２０を用いてどのプロジェクター１０を操作しても、プロジェクターシステム１内の各プロジェクター１０にその操作を反映させることができる。また、遠隔操作信号に基づく処理と、操作情報に基づく処理との重複実行が回避される。
【００４３】
［変形例］
本発明は、上述した実施形態と異なる形態で実施することが可能である。また、以下に示す変形例は、各々を適宜に組み合わせてもよい。
プロジェクター１０の各々は、自装置のモードを、第１のモードと第２のモードとに相互に切り替えてもよい。第１のモードは、上述した第１実施形態又は第２実施形態で説明した操作制御を行うモードで、即ち、他のプロジェクター１０から受信した操作情報により指示された処理が実行されるモードである。第２のモードは、自装置の識別情報を指定した遠隔操作を受け付けた場合に、当該遠隔操作により指示された処理が実行されるモードである。
【００４４】
この変形例のプロジェクター１０は、図３に示すモード設定手段１０６に相当する機能を実現する。モード設定手段１０６（ＣＰＵ１１）は、プロジェクター１０のモードを、第１のモードと第２のモードとのいずれかに設定する。第１のモードの場合、処理手段１０４は、他のプロジェクター１０から受信された操作情報に基づいて処理を実行する。第２のモードの場合、処理手段１０４は、自装置の識別情報を指定した遠隔操作信号が受信された場合は、他のプロジェクター１０から受信される操作情報と関係なく、その遠隔操作信号で指示された処理を実行する。他方、処理手段１０４は、自装置の識別情報を指定していない遠隔操作信号が受信された場合は、その遠隔操作信号により指示された処理を実行しないし、また、この処理を指示するための操作情報を送信しない。
プロジェクター１０のモードは、例えば、本体操作部１４の操作、又はリモートコントローラー２０による遠隔操作によって設定・変更されるが、別の方法で設定・変更されてもよい。
【００４５】
リモートコントローラー２０は、プロジェクター１０の操作専用のリモートコントローラーでなくてもよく、例えば、スマートフォン等の通知端末装置によって実現されてもよい。
プロジェクター１０が行う無線通信の規格は特に問わず、例えば、Ｗｉ−Ｆｉ以外の無線ＬＡＮ（Local Area Network）の規格であってもよい。また、プロジェクター１０間の通信は、ネットワークＮＷを経由するものに限られず、例えば、ＵＳＢ（Universal Serial Bus）の規格や、Ｂｌｕｅｔｏｏｔｈ（登録商標）の規格に準拠した無線通信が行われてもよい。また、プロジェクター１０間が有線により接続されてもよい。
更に、複数のプロジェクター１０は、直列に接続されてもよい。この場合、直接に接続されたプロジェクター１０間で操作情報が送受信される。このように、プロジェクター１０は、プロジェクターシステム１内の全てのプロジェクター１０と直接に通信可能でなくてもよい。
【００４６】
上述した各実施形態では、プロジェクターシステム１においてタイリング投写が行われる場合を説明したが、プロジェクターシステム１は、タイリング投写以外の用途で使用されてもよい。プロジェクターシステム１において、例えば、スタック投写を行う２以上のプロジェクター１０間で操作情報が送受信されてもよい。
【００４７】
上述した各実施形態では、プロジェクター１０の操作制御について説明したが、プロジェクター１０以外の表示装置の操作制御に使用されてもよい。このような表示装置として、フロントプロジェクション型のプロジェクターに限られず、例えばリアプロジェクション型のプロジェクターや液晶ディスプレイ等のモニター直視型の表示装置がある。また、本発明は、表示装置の制御方法として把握することも可能である。
【符号の説明】
【００４８】
１…プロジェクターシステム、１０，１０Ａ〜１０Ｄ…プロジェクター、１０１…操作受付手段、１０２…送信手段、１０３…受信手段、１０４…処理手段、１０５…決定手段、１０６…モード設定手段、１１…ＣＰＵ、１２…ＲＯＭ、１３…ＲＡＭ、１４…本体操作部、１５…信号受信部、１６…画像処理部、１７…投写部、１８…カメラ部、１９…通信部、２０…リモートコントローラー、３０…スクリーン、４０…画像信号供給装置。
【図１】
2017050754.tif 000003
【図２】
2017050754.tif 000004
【図３】
2017050754.tif 000005
【図４】
2017050754.tif 000006
【図５】
2017050754.tif 000007
【図６】
2017050754.tif 000008
【図７】
2017050754.tif 000009